(57)【要約】【課題】芯とその芯に巻き付けられたテープ部とを備えたテープにおいて、芯に、テープ部を支持する以外の機能を備えさせたテープを提供する。【解決手段】テープ１は、円筒状の芯２と、芯２の側面に巻き付けられたロール状のテープ部３と、芯２の軸方向における両端の開口部を閉塞するキャップ４、５と、芯２の内側空間に配置された芳香剤６とを備える。一方のキャップ４は開放が可能に設けられる。芳香剤６は、液体香料、液体香料を含浸させた含浸材、固形香料、ゲル状香料などどのような種類の香料で構成されたとしても良い。また、キャップ４に貫通孔を形成して、芳香剤６自体に、香料を大気から遮断するとともにこの遮断を解除可能な遮断部材を備えさせても良い。また、芯２の側面に、芳香剤６の香りをテープ部３に転移させるための通気孔を形成しても良い。【選択図】図１
2019014549.tif 000002
【特許請求の範囲】
【請求項１】
内側に空間を有した芯と、
前記芯に巻き付けられたテープ部と、
前記芯の内側に設けられた芳香剤とを備え、
前記芯は、前記芳香剤の香りを前記芯の外側に放出する放出口を有したことを特徴とするテープ。
【請求項２】
前記放出口は、前記芯の、前記テープ部が巻き付けられてない箇所に設けられたことを特徴とする請求項１に記載のテープ。
【請求項３】
前記芳香剤の香りが前記芯の外側に放出するのを遮断する部材であって、前記芳香剤の香りが前記芯の外側に放出するのを許可した状態に切り替え可能に設けられた遮断部材を備えることを特徴とする請求項１又は２に記載のテープ。
【請求項４】
前記遮断部材は前記放出口を閉鎖するように設けられ、且つ前記放出口を開放した状態に切り替え可能に設けられることを特徴とする請求項３に記載のテープ。
【請求項５】
前記芳香剤は、香料と前記香料を大気から遮断する前記遮断部材とを有しており、前記遮断部材は前記香料を大気に開放した状態に切り替え可能に設けられたことを特徴とする請求項３に記載のテープ。
【請求項６】
前記放出口は、前記芯の、前記テープ部が巻き付けられた箇所に設けられたことを特徴とする請求項１〜５のいずれか１項に記載のテープ。
【請求項７】
前記テープ部は装飾柄が施されていることを特徴とする請求項１〜６のいずれか１項に記載のテープ。
【発明の詳細な説明】
【技術分野】
【０００１】
本発明は、芯とその芯に巻き付けられたテープ部とを備えたテープに関する。
【背景技術】
【０００２】
従来、芯とその芯に巻き付けられたテープ部とを備えたテープが知られている（例えば特許文献１参照）。
【先行技術文献】
【特許文献】
【０００３】
【特許文献１】特開２０１５−１１３４２８号公報
【発明の概要】
【発明が解決しようとする課題】
【０００４】
ところで、テープの芯はテープ部を支持するためだけに用いられており、芯の内側の空間は機能性がなかった。
【０００５】
本発明は上記事情に鑑みてなされたものであり、芯に、テープ部を支持する以外の機能を備えさせたテープを提供することを課題とする。
【課題を解決するための手段】
【０００６】
上記課題を解決するため、本発明のテープは、
内側に空間を有した芯と、
前記芯に巻き付けられたテープ部と、
前記芯の内側に設けられた芳香剤とを備え、
前記芯は、前記芳香剤の香りを前記芯の外側に放出する放出口を有したことを特徴とする。
【０００７】
本発明によれば、芯の内側の空間に芳香剤が設けられており、この芳香剤の香りを、芯に形成された放出口を介して外側に放出させることができる。このように、本発明では、テープの機能に加えて芳香剤の機能を持たせることができる。また、芯に、テープ部を支持する以外に、芳香剤を収容する機能を備えさせることができる。
【０００８】
前記放出口は、前記芯の、前記テープ部が巻き付けられてない箇所に設けられたとすることができる。これによって、芳香剤の香りを芯の外側に拡散しやすくできる。
【０００９】
本発明は、さらに、前記芳香剤の香りが前記芯の外側に放出するのを遮断する部材であって、前記芳香剤の香りが前記芯の外側に放出するのを許可した状態に切り替え可能に設けられた遮断部材を備える。これによって、芳香剤の使用を望まないにもかかわらず、芳香剤の香りが外側に放出されてしまうのを抑制できるとともに、芳香剤の使用を望む時には芳香剤の香りを外側に放出させることができる。
【００１０】
前記遮断部材は前記放出口を閉鎖するように設けられ、且つ前記放出口を開放した状態に切り替え可能に設けられるとすることができる。これによって、放出口の閉鎖、開放を切り替えることができる。
【００１１】
また、前記芳香剤は、香料と前記香料を大気から遮断する前記遮断部材とを有しており、前記遮断部材は前記香料を大気に開放した状態に切り替え可能に設けられたとすることができる。このように、芳香剤自体に遮断部材を備えさせるようにしても良い。
【００１２】
また、前記放出口は、前記芯の、前記テープ部が巻き付けられた箇所に設けられたとしても良い。これによれば、芳香剤の香りをテープ部に移すことができ、テープ部に香りを持たせることができる。また、テープ部を、香りを通過可能な微小孔を有した形状に形成することで、テープ部を通過した香りを外側に拡散させることができる。
【００１３】
また、前記テープ部は装飾柄が施されている。このように、装飾用テープは、外部に露出した状態で部屋等の装飾として置いておくことができるので、装飾用テープに本発明を適用するのが好適である。
【図面の簡単な説明】
【００１４】
【図１】テープの斜視図である。
【図２】複数に分割されたラベルから構成されたテープ部の一部を抜き出した断面図である。
【図３】１つの連続した帯状に構成されたテープ部の一部を抜き出した断面図である。
【図４】芯及び両側のキャップを示した図である。
【図５】芯の内側空間に液体香料を滴下する様子を示した図である。
【図６】芯の内側空間に配置された含浸材に液体香料を滴下する様子を示した図である。
【図７】芯の内側空間に、モジュールとして構成された芳香剤が配置された様子を示すとともに、貫通孔が形成された上側キャップを示した図である。
【図８】側面に通気孔が形成された芯を示した図である。
【発明を実施するための形態】
【００１５】
（第１実施形態）
以下、本発明の第１実施形態を図面を参照しながら説明する。図１に本実施形態のテープ１を示す。テープ１は、テープ部３の表面に装飾柄が視認可能に施された装飾用粘着テープ（マスキングテープ）である。
【００１６】
テープ１は、円筒状の芯２と、芯２の側面にロール状に巻き付けられたテープ部３と、芯２の軸方向における両端部２１（図４参照）に設けられたキャップ４、５と、芯２の内側に設けられた芳香剤６とを備えている。
【００１７】
芯２は、キャップ４、５が設けられていない状態において、軸方向の両端部２１（図４参照）に開口を有した円筒状に形成されている。芯２は、紙製、樹脂製、金属製などどのような材質で形成されたとしても良い。なお、テープ１には芯２を支持する支持部材は設けられていない。すなわち、芯２の内側の空間には芯２を支持するための支軸は挿入されていない。
【００１８】
テープ部３は、例えば図２のように複数に分割されたラベル３１を同一方向に部分的にずらしながら重ねていき、全体として帯状となるように構成されたとしても良いし、図３のように、１つの連続した帯状に構成されたとしても良い。図２の例ではラベル３１を１枚ずつ剥がし、剥がしたラベル３１を所望の箇所に貼付するように用いられる。図３の例では、ロール状のテープ部３を所望の長さとなる分だけ引き出した後、引き出した部分の根元を切断し、切断した部分を所望の箇所に貼付するように用いられる。
【００１９】
テープ部３は、図２、図３に示すように、基材３２と、その基材３２の裏面に塗布されるように設けられる接着層３３とを有する。基材３２には、表面から視認可能な装飾柄が施されている。接着層３３は接着剤にて形成されている。なお、図２、図３の例では、基材３２の裏面に剥離紙（台紙、ライナー、セパレータ）が設けられていない例を示しているが、剥離紙を有していても良い。
【００２０】
キャップ４、５は、芯２の端部を構成する円形開口部２１（図４参照）と同様の形状の円形に形成されており、円形開口部２１を閉塞するように設けられる。言い換えると、キャップ４、５は、芯２の内側空間と芯２の外側との間で気体の流通を遮断するように、つまり芯２の内側空間を密閉するように設けられる。キャップ４、５の材質は、芯２の内側空間を密閉できるのであれば特に限定されず、紙製であっても良いし、樹脂製であっても良いし、金属製であっても良い。また、キャップ４、５は、芯２と同じ材質で形成されたとしても良いし、異なる材質で形成されたとしても良い。
【００２１】
キャップ４、５のうち少なくとも一方のキャップ４は、芯２の内側空間を外側に露出させる操作が可能に設けられる。具体的には、例えばキャップ４には、円形開口部２１に嵌合する嵌合部が形成され、円形開口部２１には、キャップ４の嵌合部と嵌合する嵌合部が形成されている。キャップ４及び円形開口部２１の各嵌合部は、嵌合を解除可能に構成されている。例えば、キャップ４の嵌合部を、キャップ４の外周部に沿って形成されたネジ部（以下、キャップ側ネジ部）とし、円形開口部２１の嵌合部を、円形開口部２１の周縁に沿って形成された、キャップ側ネジ部と嵌合するネジ部（以下、芯側ネジ部という）とする。そして、これらキャップ側ネジ部及び芯側ネジ部の嵌合により、芯２の内側空間を密閉状態にするとともに、キャップ４を、両ネジ部の嵌合を解除する方向に回転させて芯２から取り外すことで密閉状態を解除するようにしても良い。
【００２２】
なお、キャップ４及び円形開口部２１の嵌合は、ネジ嵌合の他に、爪嵌合、圧入嵌合等、他の嵌合構造であっても良い。例えば、キャップ４の裏側に、円形開口部２１に内側に嵌まる突出嵌合部が形成されたとしても良い。
【００２３】
また、キャップ４は、少なくとも一部を破断又は剥がしが可能に構成されたとしても良い。具体的には、キャップ４は破断又は剥がしが可能な材質又は形状（例えば紙、樹脂、金属のフィルム）にて形成されたとしても良い。この場合、キャップ４の少なくとも一部を破断し又は剥がすことで、芯２の内側空間は外側空間に開放される。
【００２４】
他方のキャップ５は、キャップ４と同様に構成されるが、常時（つまり、芳香剤６を使用する時も）、円形開口部２１を閉塞するように設けられる。なお、芳香剤６が芯２の内側においてキャップ５以外の箇所（つまり、芯２の内周面）で支持されている場合には、キャップ５は取り外し可能に設けられたとしても良い。
【００２５】
芳香剤６は、芯２の内側においてキャップ５又は芯２の内周面に支持されるように設けられる。芳香剤６の構造は特に限定はなく、図５のように、液体香料６１により構成されたとしても良いし、図６のように、液体香料６１を含浸させた含浸材６２により構成されたとしても良い。さらに、固形香料やゲル状香料により構成されたとしても良い。なお、香料６１を含浸させた含浸材６２は非液体香料と考えることができる。なお、芳香剤６の香りの種類は特に限定はない。
【００２６】
また、本実施形態では、芳香剤６の香料（図５では液体香料６１、図６では含浸材６２）が大気に露出した状態で収容されている。つまり、芳香剤６は、キャップ４とは別に香料を大気から遮断する部材を備えていない。したがって、キャップ４が開放されることで、芳香剤６の香りが芯２の外側に拡散する。
【００２７】
なお、図５の例では、液体香料６１の他に、液体香料６１を毛管現象により吸い上げて拡散させるフェルト素材等により形成された吸上部材を、芳香剤６の構成部品の一つとして設けても良い。この場合、吸上部材の下端を液体香料６１に浸すように設け、上端を大気に露出させる。そして、液体香料６１の液面を覆うようにカバーを、芳香剤６の構成部品の一つとして設ける。つまり、液体香料６１は、吸上部材を介してのみ大気に露出する。これによれば、液体香料６１が芯２の外側にこぼれ落ちてしまうのを抑制できる。
【００２８】
また、図５、図６の例において、芯２とは別に、液体香料６１や含浸材６２を収容する容器を、芳香剤６の構成部品の一つとして設けても良い。
【００２９】
次に、テープ１の製造方法を説明する。先ず、キャップ４、５が取り付けられていない状態の芯２を準備する。次に、芯２の側面にテープ部３を巻き付ける。この際、芯２の内側には、テープ製造装置の一部を構成する部材が挿入されて、その部材により、芯２でのテープ部３の巻き取りが行われる。次に、芯２に一方のキャップ５を取り付ける。次に、芯２の内側空間に芳香剤６を設置する。具体的には、図５の例では、滴下装置１０により液体香料６１を芯２の内側空間に滴下する。図６の例では、先ず、含浸材６２を芯２の内側空間に設置し、その後、滴下装置１０により液体香料６１を含浸材６２に向けて滴下する。なお、図５の例では、液体香料６１を芯２の内側空間に滴下した後、上記吸上部材及びカバーを芯２の内側空間に設けても良い。芳香剤６を設置した後、残りのキャップ４を芯２に取り付けて、芯２の内側空間を密閉する。以上の工程を経て、テープ１が完成する。
【００３０】
なお、上記では芯２にテープ部３を巻き付けた後に芳香剤６を芯２内に設置した例を説明したが、芯２内に芳香剤６を設置した後にテープ部３を芯２に巻き付けても良い。
【００３１】
このように、本実施形態によれば、キャップ４を開放することで外側に香りを拡散させることができる。これにより、テープ１の保管時やテープ部３を全て使用してしまった後も、芳香剤として用いることができ、テープ１の商品価値を向上できる。
【００３２】
また、キャップ４、５により芯２の内側空間を密閉状態に保つことで、芳香剤６の使用を望まない時に芳香剤６の香りが外側に拡散したり、香料が消費されたりするのを抑制できる。
【００３３】
なお、本実施形態において、キャップ４が本発明の遮断部材に相当する。キャップ４が設けられる開口部２１が本発明の放出口に相当する。
【００３４】
（第２実施形態）
次に、本発明の第２実施形態を上記実施形態と異なる部分を中心に説明する。図７に本実施形態のテープにおける芯、キャップ及び芳香剤を示している。図７において、第１実施形態と同様の名称の部品には同一の符号を付している。本実施形態では、上側キャップ４には、芳香剤６の香りの放出口となる貫通孔４１が形成されている。図７では、貫通孔４１は、複数且つ円形に形成された例を示しているが、貫通孔４１の個数、形状、径は特に限定はない。上側キャップ４は芯２に脱着可能に設けられる。
【００３５】
芳香剤６はモジュール（部品）として構成されている。詳しくは、芳香剤６は、香料６３と、その香料６３を大気から遮断する遮断部材６４とを備えている。香料６３は、液体香料、固形香料、ゲル状香料、香料を含浸した含浸材などどのような種類の香料であっても良い。遮断部材６４は、香料６３が固形香料の場合には、例えば固形香料の全体を包む柔軟性を有した包装材（例えばフィルム）とすることができる。また、遮断部材６４は、香料６３が非固形香料（液体香料、ゲル状香料）の場合には、非固形香料を収容する容器とすることができる。
【００３６】
また、遮断部材６４は、上側キャップ４に対向した上面の全部又は一部を開放可能に構成されている。具体的には例えば、遮断部材６４の上面は、取り外し可能又は破壊が可能なカバーで構成されたり、剥がすことが可能なフィルムで構成されたりする。なお、遮断部材６４が本発明の遮断部材に相当する。
【００３７】
なお、香料６３が液体香料の場合には、第１実施形態で説明したように吸上部材のみを介して香料６３を大気に露出させるように構成しても良い。
【００３８】
上記以外の構成は第１実施形態と同じである。本実施形態のテープの製造方法を説明する。先ず、キャップ４、５が取り付けられていない状態の芯２を準備する。次に、芯２の側面にテープ部３を巻き付ける。次に、芯２に一方のキャップ５を取り付ける。また、芳香剤６を芯２に設置する前に予め部品として構成しておく。この芳香剤６を、キャップ５が取り付けられた芯２の内側空間に設置する。次に、貫通孔４１を有したキャップ４を芯２に取り付ける。以上の工程を経て、テープが完成する。
【００３９】
芳香剤６を使用する場合には、先ず、キャップ４を芯２から取り外す。次に、芳香剤６の遮断部材６４を取り外したり、破壊したり、剥がしたりするなどして、香料６３を大気に開放する。その後、キャップ４を芯２に取り付ける。これにより、キャップ４の貫通孔４１を介して芳香剤６の香りを外側に拡散させることができる。
【００４０】
本実施形態によれば、第１実施形態と同様の効果に加えて、キャップ４を芯２に付けた状態で芳香剤６を使用できるので、芳香剤６が完全に露出してしまうのを抑制でき、芳香剤６の使用時のテープの見た目を良くすることができる。
【００４１】
（第３実施形態）
次に、本発明の第３実施形態を上記実施形態と異なる部分を中心に説明する。図８に本実施形態の芯２を示している。芯２の側面には、芯２の内外を貫通するように多数の通気孔２２が形成されている。通気孔２２の個数、形状、径は特に限定はないが、芯２の側面の全面積に対する通気孔２２が占める割合が大きいほど、芳香剤の香りをテープ部に転移させることができる。例えば、上記割合を５０％以上とすることができる。通気孔２２以外の構成は第１、第２実施形態と同じである。なお、通気孔２２が本発明の放出口に相当する。
【００４２】
本実施形態によれば、芯２の側面に、芯２の内側空間とテープ部の内周面（テープ部の、芯２の外側側面に接触した面）とを導通させる通気孔２２が形成されているので、この通気孔２２を通じて芳香剤の香りをテープ部に転移させることができる。これによって、テープ部自体に香りを付与できる。さらに、テープ部を、香り分子が通過可能な微小孔を有した形状に形成すれば、テープ部を通過した香りを外側に拡散させることができる。
【００４３】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであったとしても本発明の技術的範囲に包含される。例えば、上記実施形態では、装飾用のマスキングテープに本発明を適用した例を説明したが、装飾柄が施されていない粘着テープ（養生用のマスキングテープや単に物を固定するための粘着テープなど）に本発明を適用しても良い。また、芯の上側キャップを第２実施形態のように貫通孔が形成されたキャップとし、そのキャップの上面に、キャップの貫通孔を塞ぐように、破断又は剥がしが可能な遮断部材としてのフィルムを設ける。そして、このフィルムを破断又は剥がすことで、芯の内側に設けられた芳香剤の香りが外側に放出するようにしても良い。この場合、芳香剤自体には香りの放出を遮断する部材が設けられない。これによれば、上側キャップを外さなくても、芳香剤の香りを外側に拡散させることができる。
【符号の説明】
【００４４】
１  テープ
２  芯
２１  芯の開口部
２２  通気孔
３  テープ部
４、５  キャップ
６  芳香剤
６１  液体香料
６２  含浸材
６３  香料
６４  遮断部材
【図１】
2019014549.tif 000003
【図２】
2019014549.tif 000004
【図３】
2019014549.tif 000005
【図４】
2019014549.tif 000006
【図５】
2019014549.tif 000007
【図６】
2019014549.tif 000008
【図７】
2019014549.tif 000009
【図８】
2019014549.tif 000010